(57)【要約】【課題】記録コンテンツの不要部分の削除等の編集を、コピー処理を用いることなく且つ自動的に行うことが可能な記録再生装置及び記録再生方法を提供することである。【解決手段】記録データ格納部２７は記録コンテンツのデータを予め格納する。インデックス情報格納部２２は記録コンテンツの属性で分けられた各部分に対応するインデックス情報を外部から格納する。プレイリスト作成部２４はユーザが属性ごとに指定した指定情報と記録コンテンツの各部分に属性ごとに与えられたインデックス情報とを用いて、指定情報によって属性ごとに編集対象を提示したプレイリストを作成する。プレイリスト格納部２５はプレイリスト作成部で作成されたプレイリストを格納する。コンテンツ編集部２６はインデックス情報格納部のインデックス情報とプレイリスト格納部のプレイリストとに従って、記録データ格納部２７の記録コンテンツの編集対象を編集する。【選択図】図１
2007312041.tif 000002
【特許請求の範囲】
【請求項１】
予め記録コンテンツを格納している記録データ格納部と、
外部から供給された、前記記録コンテンツの属性で分けられた各部分に対応するインデックス情報を格納しているインデックス情報格納部と、
ユーザが属性ごとに指定した指定情報と前記記録コンテンツの各部分に属性ごとに与えられたインデックス情報とを用いて、前記指定情報によって属性ごとに編集対象を提示したプレイリストを作成するプレイリスト作成部と、
前記プレイリスト作成部で作成されたプレイリストを格納するプレイリスト格納部と、
前記インデックス情報格納部に格納されている前記インデックス情報と前記プレイリスト格納部に格納されている前記プレイリストとに従って、前記記録データ格納部に記録されている記録コンテンツの前記編集対象に該当する部分を編集するコンテンツ編集部と、
を具備したことを特徴とする記録再生装置。
【請求項２】
前記編集対象は、削除対象又は再生対象であって、
前記コンテンツ編集部は、前記インデックス情報格納部に格納されている前記インデックス情報と前記プレイリスト格納部に格納されている前記プレイリストとに従って、前記記録データ格納部に記録されている前記記録コンテンツの削除対象を削除する、又は前記記録コンテンツの再生対象を残存させることを特徴とする請求項１に記載の記録再生装置。
【請求項３】
前記コンテンツ編集部は、
前記記録データ格納部に格納されている記録コンテンツを所定の分割単位で細分化し、細分化された各部分にインデックス番号を付加する手段と、
前記インデックス情報格納部に格納されている前記インデックス情報と前記プレイリスト格納部に格納されている前記プレイリストとを基に、記録コンテンツにおける削除対象となっている部分をインデックス番号で識別する手段と、
前記削除対象になっているインデックス番号が付けられている記録コンテンツの部分を削除する手段と、
を備えたことを特徴とする請求項２に記載の記録再生装置。
【請求項４】
前記コンテンツ編集部は、
前記インデックス情報格納部に格納されている前記インデックス情報と前記プレイリスト格納部に格納されている前記プレイリストとに従って、前記記録データ格納部に記録されている前記記録コンテンツの再生対象を取り出して視聴不可の中間データを作成する手段と、
前記中間データを作成した後、前記記録データ格納部に予め格納している前記記録コンテンツのデータを削除する手段と、
前記記録コンテンツの削除後に、前記中間データを有効化し視聴可能なデータに変える手段と、
を備えたことを特徴とする請求項２に記載の記録再生装置。
【請求項５】
予め記録コンテンツを記録データ格納部に格納する第１のステップと、
外部から前記記録コンテンツの属性で分けられた各部分に対応するインデックス情報を入力してインデックス情報格納部に格納する第２のステップと、
ユーザが属性ごとに指定した指定情報と前記記録コンテンツの各部分に属性ごとに与えられたインデックス情報とを用いて、前記指定情報によって属性ごとに編集対象を提示したプレイリストを作成する第３のステップと、
前記第３のステップで作成されたプレイリストをプレイリスト格納部に格納する第４のステップと、
前記インデックス情報格納部に格納されている前記インデックス情報と前記プレイリスト格納部に格納されている前記プレイリストとに従って、前記記録データ格納部に記録されている記録コンテンツの前記編集対象に該当する部分を編集する第５のステップと、
を具備したことを特徴とする記録再生方法。
【発明の詳細な説明】
【技術分野】
【０００１】
本発明は、コピーを禁止されているデータであってもコピー処理を用いずに不要データの削除等を行えるようにした記録再生装置及び記録再生方法に関するものである。
【背景技術】
【０００２】
近年、デジタル放送の普及に伴い、デジタルコンテンツの録画に対する利便性の向上が要求されるようになっている。利便性の向上には、録画したデジタルコンテンツのうち、ユーザが必要な部分のみ残し、それ以外を削除することが考えられる。これを実現すればユーザにとって余分な視聴時間を削減でき、さらに記録媒体の容量を節約することもできる。しかし、これを実現するためには、以下のような問題点がある。
【０００３】
第１の問題点は、デジタルコンテンツの編集は、コピー処理を用いずに実行しなければならない。  
ＨＤＤまたはＤＶＤなどの光記録メディアを使用したレコーダで録画された、著作権保護のためのコピー制御を含むデジタルコンテンツは、記録メディアや機器間の移動(ムーブ)は出来ても、コピーはできない。
【０００４】
著作権保護のためのコピー制御としては、地上デジタル放送で行われている、受信したデジタル放送信号を１回だけデジタル録画機器に録画可能なコピー制御がある。この場合、録画したデジタル放送信号は他のデジタル録画機器にダビング(コピー)できない。また、移動(ムーブ)機能の付いた録画機器を使用した場合は、記録メディアや機器間の移動(ムーブ)を行った後は、元の記録メディアからはコンテンツが消去される。例えば、ＨＤＤに録画した番組をＤＶＤに移動することはできるが、ＨＤＤの番組は消去される。
【０００５】
通常、ＣＭなどの不要データをカットするなどの編集を、録画したデジタルコンテンツ本体に対して行う場合、コンテンツ内の分割する位置情報を記録し、その分割情報をもとにコンテンツの再生する部分データを含むプレイリストを作成することになる。
【０００６】
プレイリストは、単に再生位置をまとめた情報にすぎないので、コンテンツそのものではない。もし、作成したプレイリストに示される再生部分と同様に再生できるコンテンツのデータを作成しようとするならば、そのプレイリストをもとにプレイリストが参照するコンテンツのデータをコピーして、複製データを作成する必要がある。
【０００７】
第２の問題点は、録画したコンテンツからユーザが不要部分を判別するためには、どこにどのような内容のものが録画されているかを予めユーザが把握しなければならない。  
コンテンツの不要部分を判別するために実際にコンテンツの内容を視聴することによって確認しながら行うのでは、コンテンツを全て視聴することになるので本末転倒であるし、また、時間と労力の要る作業である。ＣＭカットなどのような分割情報の作成は、映像信号や音響信号などの変化の検出や、音声の無音部の検出などにより実現することが考えられるが、確実に希望する分割点を指定することは保証できない。どこに分割情報を加えるかは、人それぞれなのでさらに難しい。また、単に分割情報を作成するだけでは、その分割は何のために付けているのかが判断できず、その後、その分割情報を有効活用することが難しい。
【０００８】
ところで、不要データの削除に関連する先行技術としては、例えば特許文献１のものがある。特許文献１には、その図１において、サービスセンタと所定の契約関係にあるユーザでは、サービスセンタより供給される暗号化インデックス情報はユーザ側の番組記録再生装置により受信され、受信されて得られる暗号化信号はインデックス情報復号器で復号されて、インデックス情報が得られ、得られたインデックス情報は表示装置に表示されてユーザに提示される。ユーザはその表示内容を基に、放送波が受信されて記録された番組信号についての再生方法が操作により指定され、番組記録再生装置は指定された再生方法に従って記録された番組の、例えばＣＭ部をスキップして本編部を再生したり、又は本編部の所定の箇所を頭出しして再生するような動作がなされる、ことが記載されている。
【０００９】
この先行技術で提案される方法は、ユーザの指定したプレイ（再生）リストに沿った再生を実現するものであり、ユーザ側の番組記録再生装置に録画された元の録画コンテンツはそのままで不要な部分をスキップして再生表示しているに過ぎず、ＣＭ部を記録媒体上から削除して記録媒体の容量を節約できるものではなかった。
【特許文献１】特開２００３−６１０３６号公報
【発明の開示】
【発明が解決しようとする課題】
【００１０】
そこで、本発明は、上記の問題に鑑み、著作権保護のためのコピー制御を含む記録コンテンツであっても、その記録コンテンツの編集をコピー処理を用いずに実現することができ、かつ記録コンテンツの分割情報をユーザがそのコンテンツ内容を視聴して確認することなく作成することが可能な記録再生装置及び記録再生方法を提供することを目的とするものである。
【課題を解決するための手段】
【００１１】
本発明の一態様によれば、予め記録コンテンツを格納している記録データ格納部と、
外部から供給された、前記記録コンテンツの属性で分けられた各部分に対応するインデックス情報を格納しているインデックス情報格納部と、ユーザが属性ごとに指定した指定情報と記録コンテンツの各部分に属性ごとに与えられたインデックス情報とを用いて、前記指定情報によって属性ごとに編集対象を提示したプレイリストを作成するプレイリスト作成部と、前記プレイリスト作成部で作成されたプレイリストを格納するプレイリスト格納部と、前記インデックス情報格納部に格納されている前記インデックス情報と前記プレイリスト格納部に格納されている前記プレイリストとに従って、前記記録データ格納部に記録されている記録コンテンツの前記編集対象に該当する部分を編集するコンテンツ編集部と、を具備したことを特徴とする記録再生装置が提供される。
【００１２】
本発明の他の態様によれば、予め記録コンテンツを記録データ格納部に格納する第１のステップと、外部から前記記録コンテンツの属性で分けられた各部分に対応するインデックス情報を入力してインデックス情報格納部に格納する第２のステップと、ユーザが属性ごとに指定した指定情報と記録コンテンツの各部分に属性ごとに与えられたインデックス情報とを用いて、前記指定情報によって属性ごとに編集対象を提示したプレイリストを作成する第３のステップと、前記第３のステップで作成されたプレイリストをプレイリスト格納部に格納する第４のステップと、前記インデックス情報格納部に格納されている前記インデックス情報と前記プレイリスト格納部に格納されている前記プレイリストとに従って、前記記録データ格納部に記録されている記録コンテンツの前記編集対象に該当する部分を編集する第５のステップと、を具備したことを特徴とする記録再生方法が提供される。
【発明の効果】
【００１３】
本発明によれば、著作権保護のためのコピー制御を含む記録コンテンツであっても、その記録コンテンツの編集をコピー処理を用いずに実現することができ、かつ記録コンテンツの分割情報をユーザがそのコンテンツ内容を視聴して確認することなく作成することが可能となる。
【発明を実施するための最良の形態】
【００１４】
発明の実施の形態について図面を参照して説明する。  
本発明の実施形態では、例えばコピーが禁止されているデジタルコンテンツに関して、記録したデジタルコンテンツのインデックス情報（要/不要部分を示すコンテンツの区切りを示す情報）を、そのコンテンツ内容をユーザが実際に視聴してみることなく提示できるようにし、ユーザが不要部分を指定することで自動的にコンテンツから不要部分を削除する。視聴する際に単純に不要部分をスキップすることによってカットされているように見せるのではなく、コピー処理を用いることなく実際に不要部分をコンテンツから削除する。或いは、コピー処理を用いることなく記録コンテンツとしての録画コンテンツから必要部分のみを取り出せるようにする。
【００１５】
図１は本発明に係る記録再生装置としての録画再生装置が適用される、デジタル放送視聴記録システムを示すブロック図である。図２は図１のシステムにおける、録画再生装置に用いられるインデックス情報の例を示し、図３は図１のシステムにおける、録画再生装置に用いられるプレイリストの例を示している。図１〜図３を参照して本発明に係るシステムの概要を説明する。
【００１６】
図１に示すデジタル放送視聴記録システムは、インデックス情報を配信するサービスセンタ１０と、デジタル放送情報としてデジタル放送信号を受信するデジタル放送アンテナ部３０と、受信したデジタル放送信号を圧縮して保存すると共にその保存したデジタルコンテンツを前記インデックス情報を用いて編集する機能を有した録画再生装置２０と、再生した映像及び音声を出力する画像表示部４０及び音声出力部５０とを備えている。
【００１７】
サービスセンタ１０は、編集対象のコンテンツに対する適切な分割情報と分割に関する属性情報（ここでは、チャプター情報と同様であり、例えば本編であるとか、ＣＭであるとか、あるカテゴリの映像であるとか等を示す情報）を提供する。提供方法は、インターネット回線や専用線などの通信ケーブル２０１を使用して、サービスセンタ１０とユーザ側の録画再生装置２０間を通信するものとする。
【００１８】
サービスセンタ１０は、インデックス情報生成部１１と、インデックス情報格納部１２と、インデックス情報配信部１３とを備えている。  
インデックス情報生成部１１は、放送された番組の各属性に応じた分割位置を示したインデックス情報を作成する。
【００１９】
図２はインデックス情報の例を示す。図２において、(a)はコンテンツがドラマ番組の場合、(b)はコンテンツがサッカー番組の場合、のインデックス情報を示している。分割位置は、開始時刻、インデックス位置で示される。インデックス位置とは、ある単位時間やフレーム数を１インデックスとしたときの各分割位置の開始位置を示す。この例では、１５秒を１インデックスとしている。
【００２０】
インデックス情報格納部１２は、生成されたインデックス情報を格納する記憶装置で構成される。  
インデックス情報配信部１３は、インターネット回線や専用線などの通信ケーブル２０１を利用して視聴者側の録画再生装置２０へインデックス情報を送信する。
【００２１】
記録再生装置である録画再生装置２０は、デジタル放送を視聴、記録する機能を備えている上に、サービスセンタから配信されたインデックス情報とユーザの指定情報（例えばＣＭは削除して本編のみ残すなどを指定するための情報）から適切に編集されたプレイリストを作成し、プレイリストに基づいて記録コンテンツとしての録画コンテンツを再生、編集する機能を備えている。
【００２２】
録画再生装置２０は、インデックス情報入力部２１と、インデックス情報格納部２２と、ユーザリクエスト受付部２３と、プレイリスト作成部２４と、プレイリスト格納部２５と、コンテンツ編集部２６と、記録データ格納部としての録画データ格納部２７と、コンテンツ信号解析部２８と、チューナ部２１０と、エンコーダ部２１１と、映像/音声再生部２１２とを備えている。
【００２３】
インデックス情報入力部２１は、サービスセンタ１０から配信されたインデックス情報を受信する。  
インデックス情報格納部２２は、インデックス情報入力部２１で受信したインデックス情報を格納する記憶装置で構成される。
【００２４】
ユーザリクエスト受付部２３は、インデックス情報格納部２２からのインデックス情報をユーザに示した、ユーザの指定情報を受け付ける。ユーザの指定情報は、各コンテンツに対して与えられたインデックス情報を用いて再生対象及び削除対象、再生順などを指定したものである。実際には、インデックス情報を画像表示部４０に表示し、ユーザが選択することになる。  
プレイリスト作成部２４は、ユーザリクエスト受付部２３で受け付けたユーザの指定情報とインデックス情報を用いてプレイリストを作成する。
【００２５】
図３はプレイリストの例を示す。図３において、(a)は図２(a)のインデックス情報に対応したプレイリストを示し、(b)は図２(b)のインデックス情報に対応したプレイリストを示している。  
プレイリスト格納部２５は、プレイリスト作成部２４で作成されたプレイリストを格納する記憶装置で構成される。
【００２６】
コンテンツ編集部２６は、録画データ格納部２７に格納された録画コンテンツを、プレイリスト格納部２５に格納されたプレイリストとインデックス情報格納部２２に格納されたインデックス情報とに従って編集する。編集方法は、後述の第１，第２の実施形態で説明する。
【００２７】
チューナ部２１０は、デジタル放送信号の搬送波周波数に同調する同調部とデジタル復調することによって符号化された映像データ及び音声データを取り出す復調部とを備えている。また、エンコーダ部２１１は、デジタル復調された符号化データをＭＰＥＧ規格で圧縮符号化するＭＰＥＧ部を備えている。デジタル放送アンテナ部３０で受信されたデジタル放送信号が、アンテナケーブル２０２を介してチューナ部２１０に送られ、さらにエンコーダ部２１１でＭＰＥＧ信号にエンコードされて、録画データ格納部２７に格納される。
【００２８】
映像/音声再生部２１２は、エンコーダ部２１１に入力したデジタル復調された符号化データを復号化し、又は、録画データ格納部２７に格納された録画コンテンツがコンテンツ編集部２６によって編集された符号化データを復号化して、表示用のアナログ映像信号及び音声信号に再生する機能を有する。再生されたアナログの映像信号及び音声信号は、ＡＶケーブル２０３を介して表示装置で構成される画像表示部４０及びスピーカで構成される音声出力部５０に入力され、映像表示及び音声出力される。
【００２９】
録画データ格納部２７は、ＨＤＤ、又は、着脱自在なＤＶＤ等の記録メディア(図４又は図６ではＨＤＤ/記録メディアと表記)で構成され、エンコーダ部２１１にてエンコードされたＭＰＥＧ信号を格納する。  
コンテンツ信号解析部２８は、録画データ格納部２７に録画されたコンテンツの放送時間情報、インデックス位置情報、属性情報を解析し、コンテンツ編集部２６に受け渡す機能を有する。コンテンツ編集部２６は、プレイリストと、インデックス情報と、コンテンツ信号解析部２８からの解析された情報とを照らし合わせて削除等の編集を行う。
【００３０】
以上の構成においては、デジタル放送アンテナ部３０及びチューナ部２１０から予め録画コンテンツを入力し、録画データ格納部２７に格納する。一方、サービスセンタ１０等の外部から録画データ格納部２７の録画コンテンツの属性で分けられた各部分に対応するインデックス情報を入力して、インデックス情報格納部２２に格納する。
【００３１】
ユーザが属性ごとに指定した指定情報と記録コンテンツの各部分に属性ごとに与えられたインデックス情報とを用いて、その指定情報によって属性ごとに削除等の編集対象（編集するかしないかの対象）を提示したプレイリストをプレイリスト作成部２４にて作成する。この作成されたプレイリストをプレイリスト格納部２５に格納する。
【００３２】
そして、インデックス情報格納部２２に格納されているインデックス情報と、プレイリスト格納部２５に格納されているプレイリストとに従って、録画データ格納部２７に録画されている録画コンテンツの編集対象に該当する部分に対して削除等の編集を行う。これによって、録画データ格納部２７にはユーザの指定に従って自動的に編集された録画コンテンツが収納された状態となる。
【００３３】
このとき、ユーザの指定によって編集された内容に沿って、プレイリスト格納部２５に格納されているプレイリストとインデックス情報格納部２２に格納されているインデックス情報を更新する。なお、更新されたプレイリストを元に再度録画コンテンツの編集が可能である。
【００３４】
録画コンテンツを構成するプレイリストが存在する場合は、録画コンテンツへの操作はプレイリストを介して行う。つまり録画コンテンツへの直接操作はプレイリストとの整合を保つため許さない。よってプレイリストを削除することは録画コンテンツの削除を意味する。
【００３５】
［第１の実施形態］
図４は本発明の第１の実施形態の録画再生装置の動作を説明する図である。ここでは、プレイリストが作成されてプレイリスト格納部２５に格納された後の編集動作について説明する。  
図４の(1)〜(3)は、録画したコンテンツを細分化することでコピーを用いずに録画コンテンツを編集する方法を示している。インデックス情報として図２(a)の例を、プレイリストとして図３(a)の例を用いる。
【００３６】
図４(1) において、録画したコンテンツを所定の分割単位例えば所定の時間単位で細分化する。ここでは、時間単位を１５秒としているが、もっと細かい単位(１秒など)を用いてもよい。録画コンテンツの細分化された各部分にインデックス番号１，２，３…を付ける。  
図４(2)において、図２(a)のインデックス情報と図３(a)のプレイリストに従って、削除対象になっている部分(図４(2)の白色にて示す)と、再生対象となっている部分(図４(2)のハッチングにて示す)とをインデックス番号で区別する。
【００３７】
図４(3) において、図４(2)に示した細分化され削除対象が区別化された録画コンテンツから削除対象になっているインデックス番号が付けられている部分を削除する。残った再生対象の部分を再生順に集めて新たな再生用コンテンツとする。
【００３８】
図５は図４の編集処理を説明するフローチャートを示している。  
ユーザによって削除対象（又は再生対象）が指定されたプレイリストをプレイリスト格納部２５から取得する（ステップＳ1）。プレイリストに対応したインデックス情報をインデックス情報格納部２２から取得する（ステップＳ2）。
【００３９】
そして、プレイリストのリスト先頭位置を参照する（ステップＳ3）。今指し示しているリスト位置は削除対象か否かを判断する（ステップＳ4）。  
ステップＳ4で削除対象であれば、インデックス情報を参照して録画データ格納部２７から削除対象の録画コンテンツの部分を削除する（ステップＳ5）。
【００４０】
ステップＳ4で削除対象でなければ、今指し示しているプレイリスト位置は最終か否かを判断する（ステップＳ6）。  
ステップＳ6でプレイリスト位置が最終でなければ、指し示しているプレイリスト位置を次に進め（ステップＳ7）、ステップＳ4に戻り最終となるまでＳ4〜Ｓ7を繰り返す。ステップＳ6で最終であれば、インデックス情報とプレイリストを更新し(ステップS8)、終了する。  この第１の実施形態によれば、録画コンテンツの各部分に対してインデックス情報が付与されているので、インデックス情報の時間間隔を狭くすればそれに応じて削除対象を指定する精度を上げることができ、正確な対象位置を指定して削除を行うことができる。
【００４１】
上記の説明で、録画したコンテンツを細分化する分割単位は、所定の時間単位として説明しているが、本発明では、これに限定されることなく、時間以外のその他の基準で細分化してもよい。例えば、フレーム単位などで細分化してもよい。
【００４２】
尚、上記の説明では、録画データ格納部２７に格納してある録画コンテンツの１つに関して、その録画コンテンツのインデックス情報をサービスセンタ１０から入力し、インデックス情報格納部２２に格納しておき、そのインデックス情報と、ユーザが属性ごとに指定した指定情報とを用いて、プレイリストを作成している。ここで、ユーザの指定情報とは、例えばＣＭは削除して本編のみを残存させるといった、属性ごとに再生対象か削除対象かなどを指定した情報であった。
【００４３】
しかしながら、ユーザの指定情報としては、サービスセンタ１０から録画データ格納部２７に格納した複数の録画コンテンツのそれぞれに対応したインデックス情報を、録画再生装置２０内のインデックス情報入力部２１に対して必要なインデックス情報のみを選択して入力することが必要になる。そのような場合には、ユーザの指定情報としては、視聴希望の録画コンテンツに対応したインデックス情報のみを選択するために、図１の点線（矢印Ｆ）にて示すようにインデックス情報入力部２１に対して録画コンテンツを特定できるＩＤ（又は、インデックス情報ＩＤ）をユーザが指定することによって指示する構成とすれば、サービスセンタ１０から所望の録画コンテンツのインデックス情報を取得でき、実際の運用面において利便性を増すことができる。
【００４４】
［第２の実施形態］
図６は本発明の第２の実施形態の録画再生装置の動作を説明する図である。ここでは、プレイリストが作成されてプレイリスト格納部２５に格納された後の編集動作について説明する。  
図６の(1)〜(3)は、中間データを作成することでコピーを用いずに録画コンテンツを編集する方法を示している。インデックス情報として図２(a)の例を、プレイリストとして図３(a)の例を用いる。
【００４５】
図６(1) において、図３(a)のプレイリストと図２(a)のインデックス情報に基づいて録画コンテンツのうち再生対象の部分、削除対象の部分を判別する。ここでインデックス情報は、録画コンテンツの先頭位置からの経過時間情報であるとする。このとき、録画コンテンツの分割部分の判別は、インデックス情報とコンテンツ信号解析部２８で解析された放送時間情報を照らし合わせて行う。  
図６(2)において、再生対象の部分を取り出して再生順に並べ中間データを作成する。このとき、この中間データは視聴不可とする。
【００４６】
図６(3) において、中間データ作成後、参照先の録画コンテンツは削除する。参照先の録画コンテンツを削除した後に、図６(2)で作成した中間データを有効化して視聴可能な新しい録画コンテンツに変える。
【００４７】
図７は図６の編集処理を説明するフローチャートを示している。  
ユーザによって再生対象（又は削除対象）が指定されたプレイリストをプレイリスト格納部２５から取得する（ステップＳ11）。プレイリストに対応したインデックス情報をインデックス情報格納部２２から取得する（ステップＳ12）。
【００４８】
そして、プレイリストのリスト先頭位置を参照する（ステップＳ13）。今指し示しているリスト位置は再生対象か否かを判断する（ステップＳ14）。  
ステップＳ14で再生対象であれば、インデックス情報を参照して録画データ格納部２７から再生対象の録画コンテンツの部分を取得し、中間データを作成する（ステップＳ15）。
【００４９】
ステップＳ14で削除対象でなければ、今指し示しているプレイリスト位置は最終か否かを判断する（ステップＳ16）。  
ステップＳ16でプレイリスト位置が最終でなければ、指し示しているプレイリスト位置を次に進め（ステップＳ17）、ステップＳ14に戻り最終となるまでＳ14〜Ｓ17を繰り返す。
【００５０】
ステップＳ16で最終であれば、参照先の録画コンテンツを削除し（ステップＳ18）、ステップＳ15で作成した中間データを有効化し、視聴可能にする（ステップＳ19）。  
その後、プレイリストとインデックス情報を更新する(ステップS20)。
【００５１】
この第２の実施形態では、第１の実施形態のように削除対象を削除していく方法とは異なり、インデックス情報に基づいて再生対象の部分を判別して、録画コンテンツのうちの残存させるべき再生対象を取り出して一旦視聴不可の中間データにしておき、元の録画コンテンツを削除し、中間データを有効化して視聴可能な再生コンテンツを得るので、処理の過程で視聴可能なコンテンツが同時に２つ存在することがなく（換言すれば、コピー状態が存在せず）不要データを削除することができる。
【００５２】
本発明により、録画コンテンツの編集を、ユーザが任意に指定した通りに自動で行えることになる。ユーザは、録画したデジタルコンテンツを必要な部分のみ視聴することができ、時間の節約が実現できる。また、不要部分を削除することでＨＤＤ/記録メディアの記録容量を節約することもできる。
【００５３】
尚、以上述べた実施形態では、デジタル放送等から取得されるデジタルコンテンツの録画コンテンツを部分的に削除する場合について説明しているが、本発明はこれに限定されることなく、アナログ放送等から取得されるアナログの録画コンテンツを部分的に削除する場合にも応用することができる。
【００５４】
また、本発明の実施形態では、画像データを記録する録画再生装置について説明しているが、本発明はこれに限定されることなく、音声データを記録再生するオーディオ記録再生装置にも適用することができる。従って、本発明は、画像データ及び/又は音声データを記録再生する記録再生装置に広く応用することが可能である。
【図面の簡単な説明】
【００５５】
【図１】本発明に係る録画再生装置が適用される、デジタル放送視聴記録システムを示すブロック図。
【図２】図１のシステムにおける、録画再生装置に用いられるインデックス情報の例を示す図。
【図３】図１のシステムにおける、録画再生装置に用いられるプレイリストの例を示す図。
【図４】本発明の第１の実施形態の録画再生装置の動作を説明する図。
【図５】図４の処理に関するフローチャート。
【図６】本発明の第２の実施形態の録画再生装置の動作を説明する図。
【図７】図６の処理に関するフローチャート。
【符号の説明】
【００５６】
２０…録画再生装置（記録再生装置）
２２…インデックス情報格納部
２３…ユーザリクエスト受付部
２４…プレイリスト作成部
２５…プレイリスト格納部
２６…コンテンツ編集部
２７…録画データ格納部（記録データ格納部）
４０…画像表示部
【図１】
2007312041.tif 000003
【図２】
2007312041.tif 000004
【図３】
2007312041.tif 000005
【図４】
2007312041.tif 000006
【図５】
2007312041.tif 000007
【図６】
2007312041.tif 000008
【図７】
2007312041.tif 000009